(57)【要約】【課題】  映像情報を視聴する環境に応じ、その映像情報の再生を制限する再生装置を提供する。【解決手段】  光センサ１６は視聴場所の明るさを測定し、測定結果を制御部４に送る。制御部４は再生情報の再生時に測定結果が記憶部６に記憶される環境情報に示される視聴場所の明るさの基準を満たさない場合、再生部２に対して再生を停止するよう指示する。よって、視聴者は最適な環境で再生情報を視聴することができる。【選択図】        図１
2006332946.tif 000002
【特許請求の範囲】
【請求項１】
映像情報が記録された光ディスクから、再生対象の前記映像情報である再生情報を読み出して再生する再生部と、
前記再生情報の再生時における、ユーザの視聴場所の明るさの基準を示す環境情報を予め記憶する記憶部と、
前記再生時に前記視聴場所の明るさを測定し、測定結果を出力する光センサと、
前記再生時に前記測定結果が前記基準を満たさない場合には、前記再生部に対して前記再生情報の再生停止を指示するとともに所定の警告を出力する制御部とを備える、再生装置。
【請求項２】
映像情報が記録された記録媒体から、再生対象の前記映像情報である再生情報を読み出して再生する再生部と、
前記再生情報の再生時における、ユーザの視聴場所に関する所定の環境条件の基準を示す環境情報を予め記憶する記憶部と、
前記再生時に前記視聴場所の前記所定の環境条件を測定し、測定結果を出力する測定部と、
前記再生時に前記測定結果が前記基準を満たさない場合には、前記再生部に対して前記再生情報の再生とは異なる所定の処理を行なうよう指示する制御部とを備える、再生装置。
【請求項３】
前記制御部は、前記測定結果が前記基準を満たさない場合には、前記再生部に対して、前記所定の処理として前記再生情報の停止処理を行なうよう指示する、請求項２に記載の再生装置。
【請求項４】
前記制御部は、前記測定結果が前記基準を満たさない場合には、所定の警告をさらに出力する、請求項３に記載の再生装置。
【請求項５】
前記測定部は、前記視聴場所の明るさを前記所定の環境条件として測定する光センサである、請求項４に記載の再生装置。
【請求項６】
前記記録媒体は、光ディスクである、請求項５に記載の再生装置。
【発明の詳細な説明】
【技術分野】
【０００１】
本発明は映像情報を再生する再生装置に関し、特に視聴時の環境に応じて再生処理を制御する再生装置に関する。
【背景技術】
【０００２】
現在、テレビやＤＶＤ（Ｄｉｇｉｔａｌ  Ｖｅｒｓａｔｉｌｅ  Ｄｉｓｃ）プレーヤなどにより、ユーザは多くの映像情報を手軽に視聴できる。よって多くの親は、子供が映像情報を視聴する際に子供に与える影響を懸念している。
【０００３】
たとえば子供に見せるのが好ましくないと親が感じる内容が、映像情報に含まれる場合がある。子供に見せたくない映像あるいは番組に対して所定の設定をしておくことで、その映像出力を禁止する、いわゆるパレンタルロック（Ｐａｒｅｎｔａｌ  Ｌｏｃｋ）機能が実用化されている。たとえばＤＶＤ再生装置の場合、ディスクに記録された映像情報（プログラム）の全体あるいはプログラム内の特定部分に関連付けて、再生の制限に関する１〜８までの値（パレンタルレベル）が設定されている。ユーザはどのパレンタルレベルのプログラムまで再生を許可するかをＤＶＤ再生装置上で設定できる。
【０００４】
ディスクからプログラムを再生する際、ＤＶＤ再生装置はプログラムに付与されたパレンタルレベルと自身に設定されたパレンタルレベルとを比較する。プログラムに付与されたパレンタルレベルが自身に設定されたパレンタルレベル以下であれば、ＤＶＤ再生装置はそのプログラムを再生する。一方、プログラムに付与されたパレンタルレベルが自身に設定されたパレンタルレベルより大きい場合、ＤＶＤ再生装置はそのプログラムの全体あるいは特定部分の再生を禁止して再生動作を中断したり、プログラム内の特定部分を代わりの映像等に置き換えたりする。
【０００５】
このように所定の条件を満たす場合に視聴環境や再生状態等を変更する従来技術として、たとえば特開２００３−６１０４９号公報（特許文献１）では、ユーザがディスク上の所望のデータ領域をパレンタル領域として設定することにより、記録媒体側でパレンタルデータが設けられていない場合にもユーザ側でパレンタル管理を行なうことができる映像・音声再生装置が開示される。
【０００６】
また、特開２００１−２５１５８２号公報（特許文献２）では、再生装置のパレンタルレベルと、いつの時刻にパレンタルロック機能を働かせるか否かを示す時刻情報とをメモリに記憶させ、メモリに記憶した情報とプログラムに付与されたパレンタルレベルとからプログラムの再生制御を行なう情報再生装置が開示される。
【０００７】
また、特開２００４−２９５９３３号公報（特許文献３）では、ディスクを初回再生させる際に、子供に好ましくないシーンの再生開始時刻と再生終了時刻とを登録しておき、次回再生の際には、該当のシーンが再生されると所定の警告を表示するディスク再生装置が開示される。
【０００８】
また、特開２０００−１５６０７５号公報（特許文献４）では、映像データの各シーンに対する演出項目およびその演出項目に用いる演出機器の動作を設定することでその映像データの再生中に、演出機器（エアコンや照明機器）の動作を制御する演出機器制御装置が開示される。
【特許文献１】特開２００３−６１０４９号公報
【特許文献２】特開２００１−２５１５８２号公報
【特許文献３】特開２００４−２９５９３３号公報
【特許文献４】特開２０００−１５６０７５号公報
【発明の開示】
【発明が解決しようとする課題】
【０００９】
上述した従来技術では映像情報の内容に基づいて、その映像情報を再生する際の処理が決定される。しかし映像情報を視聴する際の環境も子供に強い影響を与える場合がある。たとえばアニメーション等の子供向けの映像情報については、視聴開始時にテレビの画面に「テレビを見るときは、部屋を明るくして離れて見て下さい。」といった旨の字幕が表示される。その理由は子供の目に対する影響が懸念されるからである。特に、短い周期で明滅が繰り返されるシーンが暗い部屋で再生された場合には、子供の視神経に影響を与えることによって子供がめまいを起こす可能性がある。
【００１０】
本発明の目的は、映像情報を視聴する環境に応じ、その映像情報の再生を制限する再生装置を提供することである。
【課題を解決するための手段】
【００１１】
本発明は要約すれば、再生装置であって、映像情報が記録された光ディスクから再生対象の映像情報である再生情報を読み出して再生する再生部と、再生情報の再生時における、ユーザの視聴場所の明るさの基準を示す環境情報を予め記憶する記憶部と、再生時に視聴場所の明るさを測定し、測定結果を出力する光センサと、再生時に測定結果が基準を満たさない場合には、再生部に対して再生情報の再生停止を指示するとともに所定の警告を出力する制御部とを備える。
【００１２】
本発明の他の局面に従うと、再生装置であって、映像情報が記録された記録媒体から再生対象の映像情報である再生情報を読み出して再生する再生部と、再生情報の再生時における、ユーザの視聴場所に関する所定の環境条件の基準を示す環境情報を予め記憶する記憶部と、再生時に視聴場所の所定の環境条件を測定し、測定結果を出力する測定部と、再生時に測定結果が基準を満たさない場合には、再生部に対して再生情報の再生とは異なる所定の処理を行なうよう指示する制御部とを備える。
【００１３】
好ましくは、制御部は、測定結果が基準を満たさない場合には、再生部に対して、所定の処理として再生情報の停止処理を行なうよう指示する。
【００１４】
より好ましくは、制御部は、測定結果が基準を満たさない場合には、所定の警告をさらに出力する。
【００１５】
さらに好ましくは、測定部は、視聴場所の明るさを所定の環境条件として測定する光センサである。
【００１６】
さらに好ましくは、記録媒体は、光ディスクである。
【発明の効果】
【００１７】
本発明の再生装置によれば、予め設定された環境条件を満たす場合に映像情報が再生されるので、視聴者は適切な環境で映像情報を視聴することができる。
【発明を実施するための最良の形態】
【００１８】
以下において、本発明の実施の形態について図面を参照して詳しく説明する。なお、図中同一符号は同一または相当部分を示す。
【００１９】
図１は、本発明の再生装置の構成例を示すブロック図である。図１を参照して、再生装置１は、たとえばＤＶＤ再生装置である。再生装置１は、再生部２、制御部４、記憶部６、出力部８、指示入力部１４、および光センサ１６を備える。
【００２０】
再生部２は映像情報が記録されたＤＶＤ等の記録媒体（図示せず）から再生対象の映像情報（再生情報）を読み出して再生する。再生部２は記録媒体から読み出した再生情報を出力部８に送る。
【００２１】
制御部４は再生装置１の全体の処理を制御する。特に制御部４は再生情報の再生時に、ユーザが再生情報を視聴する視聴場所の所定の環境条件に応じ、再生部２が行なう再生処理を制御する。具体的には制御部は視聴場所の明るさに応じて再生部２が行なう再生処理を制御する。なお制御部４の処理の詳細は後述する。
【００２２】
記憶部６は所定の環境条件（視聴場所の明るさ）の基準値である環境情報を予め記憶する。具体的には記憶部６は書換可能な不揮発性メモリ（たとえばフラッシュメモリ）である。記憶部６が不揮発的に環境情報を記憶するので、再生装置１の電源が切られたとしても環境情報は失われずに保存される。
【００２３】
なお、ユーザはテレビ１０の画面に表示される設定画面を参照し、再生情報の再生時に必要となる視聴場所の明るさを設定する。記憶部６にはこの設定画面に関する情報（たとえば画面の背景色やボタン画像などの情報）も記憶される。
【００２４】
出力部８は再生部２から送られる再生情報に基づいて映像信号や音声信号を出力し、接続されるテレビ１０に映像の表示や音声の出力を行なわせる。
【００２５】
リモコン１２はユーザが再生装置１の操作を指示したり、環境情報を設定したりするために用いられる。指示入力部１４はリモコン１２から受ける情報を制御部４に送る。
【００２６】
光センサ１６は視聴場所の明るさを測定し、測定結果を制御部４に送る。制御部４は再生情報の再生時に測定結果が記憶部６に記憶される環境情報に示される視聴場所の明るさの基準を満たさない場合、再生部２に対して再生を停止するよう指示する。よって、視聴者は最適な環境で再生情報を視聴することができる。
【００２７】
なお、視聴場所（たとえば部屋）の明るさが基準を満たさない場合、テレビ１０の画面には再生中の画像が静止状態で表示されてもよいし、画像が全く表示されていなくてもよい。また、制御部４は再生部２に対して再生を停止するよう指示した場合には、上述の処理に加えてテレビ１０の画面に「部屋を明るくして見てください。」というメッセージを表示したり、テレビ１０のスピーカから音声を出力したりするよう処理を行なってもよい。部屋の明るさが基準を満たさない場合に単に再生情報の再生を停止するだけでは、ユーザは再生情報が正常に再生できない原因を把握できない可能性がある。部屋が暗いため再生情報が再生されないことをユーザに通知することによってユーザの利便性が向上する。
【００２８】
なお本発明の再生装置はＤＶＤ再生装置に限定されず、記録媒体に記録された情報を再生し、かつ、不揮発的に環境情報を記憶するための記憶部を有する装置であれば、たとえばＤＶＤレコーダやハードディスクレコーダ等にも適用が可能である。
【００２９】
図２は、テレビ１０に表示される設定画面の一例を示す図である。図２を参照して、画面２１は、画像２２Ａ，２２Ｂと、タイトル表示欄２３Ａ，２３Ｂと、設定欄２４Ａ，２４Ｂとを備える。
【００３０】
画像２２Ａ，２２ＢはＤＶＤに記録されている映像情報を縮小表示した画像（いわゆるサムネイル画像）である。タイトル表示欄２３Ａ，２３Ｂは画像２２Ａ，２２Ｂのそれぞれに対応して設けられ、ＤＶＤに記録されている映像情報を識別するためのタイトルを表示するための欄である。設定欄２４Ａ，２４Ｂは視聴時に必要となる視聴場所の明るさの条件をユーザが設定するための欄である。なお、設定欄には１から５までの数値で設定値が示される。ユーザはたとえばリモコンの上下キーを操作したり、テンキーを操作したりすることで基準値を設定できる。また、設定欄２４Ｂに示すように設定をオフ（ＯＦＦ）にした場合には、ユーザは視聴場所の明るさに関係なく映像情報を視聴することができる。設定欄２４Ａ，２４Ｂに示される基準値は記憶部６に記憶される。
【００３１】
なお、画面２１に示す設定画面は一例である。たとえば再生装置１より映像情報が記録されたＤＶＤでは画面２１のような表示が可能であるが、再生専用のＤＶＤでは画面２１のように表示できない場合も生じ得る。この場合、たとえばタイトル表示欄２３Ａ，２３Ｂに単に「タイトル１」、「タイトル２」等のみ示され、各タイトルに応じて設定欄が設けられた画面が設定画面として用意されていてもよい。設定画面の構成は再生対象のＤＶＤに応じて適切に定められる。
【００３２】
図３は、図１の記憶部６に記憶される環境情報の一例を示す図である。図３を参照して、記憶部６に記憶されるデータＤ１１は、ディスクを識別するための情報が格納されるディスク情報領域Ａと、あるディスクに記録された映像情報を識別するためのタイトル情報領域Ｂと、各映像情報の視聴時における視聴場所の明るさの基準値である環境情報が格納される環境情報領域Ｃとを含む。図３に示すようにディスク情報領域Ａにはディスクを識別するための情報が格納される。よって、ユーザが再生装置１で再生するディスクを入れ換えたとしても、そのディスクの映像情報に対して予め環境情報が設定されていれば、再生装置１は記憶部６に記憶された環境情報に基づいて映像情報の再生処理を制御できる。なお、環境情報領域Ｃには基準値として０が格納されている。基準値が０であるということは図２の設定欄２４Ｂで設定がオフにされたことを示す。
【００３３】
図４は、図１の制御部４の処理を説明するフローチャートである。図４を参照して処理が開始されると、まずステップＳ１において制御部４は記憶部６を検索し、図３に示すディスク情報領域Ａおよびタイトル情報領域Ｂに格納された情報から、再生情報に対応する環境情報を取得する。
【００３４】
ステップＳ２において、制御部４は光センサ１６から測定結果、つまり、再生情報の再生時における視聴場所の明るさに関する情報を取得する。
【００３５】
ステップＳ３において、制御部４は測定結果と環境情報とを比較する。測定結果が環境情報に示す環境条件を満たす場合、つまり測定結果が基準を満たす場合（ステップＳ３においてＹＥＳ）、ステップＳ４において制御部４は通常の再生処理を行なう。一方、測定結果が環境情報に示す環境条件を満たさない場合、つまり測定結果が基準を満たさない場合（ステップＳ３においてＮＯ）、ステップＳ５において制御部４は再生情報の再生を停止する停止処理を行なうよう再生部２に指示する。
【００３６】
なお、ステップＳ５では、制御部４は上述のように再生部２に停止処理を指示するとともに、テレビ１０の画面にメッセージを表示したり、テレビ１０のスピーカから音声でメッセージを出力したりする処理を行なってもよい。
【００３７】
ステップＳ４またはステップＳ５に続いて処理はステップＳ２に戻る。上述の処理は再生情報の再生が終了するか、あるいはユーザがリモコンの停止キーを押すまで行なわれる。つまり、部屋が暗いため一時的に再生情報の再生が停止していても、部屋が明るくなった場合にはユーザはその再生情報の視聴を再開できる。なお、部屋が明るくなった場合、再生情報の再生は自動的に開始されてもよいし、ユーザがリモコン１２の再生キーを操作することで開始されてもよい。
【００３８】
また、再生開始時に明るかった部屋が再生中に暗くなった場合には再生装置１は再生情報の再生を停止する。よって、たとえば子供が暗い部屋でいつまでも映像情報を視聴し続けることがなくなる。
【００３９】
なお、本発明の実施の形態において、視聴場所の環境を測定するための測定部は光センサに限定されない。たとえば光センサの代わりに赤外線センサが用いられてもよい。この場合、赤外線センサはユーザと再生装置との距離を測定する。制御部は予め設定された距離よりもユーザがテレビに近づいた状態が所定時間続く場合に、再生情報の再生を停止するよう再生部に指示するとともに「離れてテレビを見てください」という警告をテレビの画面に表示させる。さらに、本発明の再生装置に用いられる測定部は複数のセンサ（たとえば光センサと赤外線センサ）の組み合わせであってもよい。
【００４０】
以上のように本発明の実施の形態によれば、視聴環境の条件を測定する測定部の測定結果が予め設定された環境条件の基準を満たさない結果である場合に、映像情報の再生が制限されるので、視聴者は最適な環境で映像情報を視聴することが可能になる。
【００４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４２】
【図１】本発明の再生装置の構成例を示すブロック図である。
【図２】テレビ１０に表示される設定画面の一例を示す図である。
【図３】図１の記憶部６に記憶される環境情報の一例を示す図である。
【図４】図１の制御部４の処理を説明するフローチャートである。
【符号の説明】
【００４３】
１  再生装置、２  再生部、４  制御部、６  記憶部、８  出力部、１０  テレビ、１２  リモコン、１４  指示入力部、１６  光センサ、２１  画面、２２Ａ，２２Ｂ  画像、２３Ａ，２３Ｂ  タイトル表示欄、２４Ａ，２４Ｂ  設定欄、Ａ  ディスク情報領域、Ｂ  タイトル情報領域、Ｃ  環境情報領域、Ｄ１１  データ、Ｓ１〜Ｓ５  ステップ。
【図１】
2006332946.tif 000003
【図２】
2006332946.tif 000004
【図３】
2006332946.tif 000005
【図４】
2006332946.tif 000006